(57)【要約】【課題】      透過型表示と反射型表示のどちらの表示モードにおいても、適正な明るさを有する電気光学装置および電子機器を提供する。【解決手段】  電気光学装置は、例えば透過型表示と反射型表示２つの表示モードを有する半透過反射型の液晶表示装置であり、複数の画素から構成される。複数の画素は、光を透過して表示を行う透過表示画素と、光を反射して表示を行う反射表示画素を含む。この電気光学装置では、一つの画素内に透過表示部と反射表示部を設けるのではなく、透過型表示を行う透過表示画素と、反射型表示を行う反射表示画素の２種類の画素を独立に形成する。これにより、一つの画素で透過型表示と反射型表示を行うときに発生していた、どちらの表示モードにおいても適正に機能しなくなる透過領域と反射領域の境界の発生、いわゆる死に領域の発生を防止することができる。よって、どちらの表示モードにおいても、電気光学装置は適正な明るさを有することができる。【選択図】図２
2006145719.tif 000002
【特許請求の範囲】
【請求項１】
透過表示モード及び反射表示モードを有する電気光学装置において、
光を透過して表示を行う透過表示画素、及び、光を反射して表示を行う反射表示画素を含む複数の画素を有し、
前記透過表示画素及び前記反射表示画素の各々は、相互に独立した画素として構成されていることを特徴とする電気光学装置。
【請求項２】
前記透過表示画素の数と前記反射表示画素の数の比率が異なることを特徴とする請求項１に記載の電気光学装置。
【請求項３】
前記透過表示画素の面積と、前記反射表示画素の面積とが異なることを特徴とする請求項１又は２に記載の電気光学装置。
【請求項４】
前記透過表示モードにおける前記透過表示画素の階調特性と、前記反射表示モードにおける前記反射表示画素の階調特性とを、異なる設定とする駆動部を有することを特徴とする請求項１乃至３のいずれか一項に記載の電気光学装置。
【請求項５】
前記透過表示モードにおいて、１つの反射表示画素の周囲に位置する該反射表示画素と同色の透過表示画素の階調値を明るい階調値に設定する駆動部を備えることを特徴とする請求項１乃至４のいずれか一項に記載の電気光学装置。
【請求項６】
前記反射表示モードにおいて、１つの透過表示画素の周囲に位置する反射表示画素の階調値を明るい階調値に設定する駆動部を備えることを特徴とする請求項１乃至４のいずれか一項に記載の電気光学装置。
【請求項７】
請求項１乃至６のいずれか一項に記載の電気光学装置を表示部に備えることを特徴とする電子機器。
【発明の詳細な説明】
【技術分野】
【０００１】
本発明は、反射型表示と透過型表示の両方が可能な液晶ディスプレイ等の電気光学装置に関する。
【背景技術】
【０００２】
従来より、液晶表示装置、有機エレクトロルミネッセンス表示装置、プラズマディスプレイ装置、及びフィールドエミッション表示装置などの各種の電気光学装置が知られている。また、電気光学装置の一例として、外光を利用した反射型表示と、バックライト等の照明光を利用した透過型表示とのいずれをも視認可能とした半透過反射型の液晶表示装置が知られている。このような液晶表示装置では、一つのカラー画素は、レッド（Ｒ）、グリーン（Ｇ）、ブルー（Ｂ）（以下、これらの色をそれぞれ単に「Ｒ」、「Ｇ」、「Ｂ」とも記す。）のカラーフィルタをそれぞれ有するサブ画素からなる。
【０００３】
例えば、特許文献１では、半透過反射型の液晶表示装置のサブ画素内に、ＩＴＯ（Indium-Tin Oxide）などの透明電極からなる透過型表示のための透過表示領域と、アルミニウムなどの反射電極からなる反射型表示のための反射表示領域とを設けたものが記載されている。
【０００４】
しかしながら、このように１つのサブ画素内に透過表示領域と反射表示領域とを設けると、透過表示領域と反射表示領域の境界は、反射型表示と透過型表示のいずれにも適正に機能しなくなる、いわゆる死に領域が発生してしまうという欠点がある。特に高精細の液晶表示装置では、１つのサブ画素の面積に対して、この死に領域の割合が相対的に大きくなることにより、明るい表示を行うことが困難となる問題があった。
【０００５】
【特許文献１】特開平１１−３０５２４８号公報
【発明の開示】
【発明が解決しようとする課題】
【０００６】
本発明は上記の点に鑑みてなされたものであり、透過型表示と反射型表示のどちらの表示モードにおいても、適正な明るさを有する電気光学装置および電子機器を提供することを課題とする。
【課題を解決するための手段】
【０００７】
本発明の１つの観点では、電気光学装置は、透過表示モード及び反射表示モードを有する電気光学装置において、光を透過して表示を行う透過表示画素、及び、光を反射して表示を行う反射表示画素を含む複数の画素を有し、前記透過表示画素及び前記反射表示画素の各々は、相互に独立した画素として構成されている。
【０００８】
上記の電気光学装置は、例えば透過表示モードと反射表示モードを有する半透過反射型の液晶表示装置であり、複数の画素から構成される。複数の画素は、光を透過して表示を行う透過表示画素と、光を反射して表示を行う反射表示画素を含む。ここで、透過表示画素及び反射表示画素の各々は、相互に独立した画素として構成されている。
【０００９】
この電気光学装置では、一つの画素内に透過表示部と反射表示部を設けるのではなく、透過型表示を行う透過表示画素と、反射型表示を行う反射表示画素の２種類の画素を独立に形成する。これにより、一つの画素で透過型表示と反射型表示を行うときに発生していた、どちらの表示モードにおいても適正に機能しなくなる透過領域と反射領域の境界の発生、いわゆる死に領域の発生を防止することができる。よって、どちらの表示モードにおいても、電気光学装置は適正な明るさを有することができる。
【００１０】
上記の電気光学装置の一態様では、前記透過表示画素の数と前記反射表示画素の数の比率が異なる。また、他の一態様では、前記透過表示画素の面積と、前記反射表示画素の面積とが異なる。これにより、透過表示モード又は反射表示モードのうち一方の表示モードが重視される電気光学装置であっても、重視される表示モードにおける表示特性に殆ど影響を及ぼすことなく、死に領域の発生を防止し、どちらの表示モードにおいても適正な明るさを有することができる。
【００１１】
上記の電気光学装置の他の一態様は、前記透過表示モードにおける前記透過表示画素の階調特性と、前記反射表示モードにおける前記反射表示画素の階調特性とを、異なる設定とする駆動部を有する。これにより、透過表示画素と反射表示画素の数が異なっていても、それぞれの表示モードで使用されていない画素の明るさの不足分を、使用されている画素の階調補正を行うことにより補うことができる。
【００１２】
上記の電気光学装置の他の一態様では、前記透過表示モードにおいて、１つの反射表示画素の周囲に位置する該反射表示画素と同色の透過表示画素の階調値を明るい階調値に設定する駆動部を備える。また、他の一態様では、前記反射表示モードにおいて、１つの透過表示画素の周囲に位置する反射表示画素の階調値を明るい階調値に設定する駆動部を備える。これにより、それぞれの表示モードで使用されていない画素の明るさの不足分を補うことができる。
【００１３】
また、上記の電気光学装置を表示部に備える電子機器を構成することができる。
【発明を実施するための最良の形態】
【００１４】
以下、図面を参照して本発明の好適な実施形態について説明する。尚、以下の実施形態は、本発明を液晶表示装置に適用したものである。
【００１５】
[第１実施形態]
（液晶表示装置）
まず、本発明の実施形態に係る液晶表示装置の構成について説明する。図１は、本発明の液晶表示装置１００の概略構成を模式的に示す断面図である。図１では、ＴＦＤ素子を用いたアクティブ・マトリクス駆動方式であって、半透過反射型の液晶表示装置を一例として挙げる。
【００１６】
図１において、液晶表示装置１００は大きく分けて、液晶表示パネル２００とバックライトユニット１５からなる。
【００１７】
液晶表示パネル２００は、素子基板９２と、その素子基板９２に対向して配置されるカラーフィルタ基板９１とが枠状のシール部材３を介して貼り合わされ、内部に液晶が封入されて液晶層４が形成されてなる。この枠状のシール部材３には、複数の金粒子などの導通部材７が混入されている。
【００１８】
下側基板２の内面上には、表面上に細かい凹凸が形成された散乱層９が形成されている。散乱層９の内面上は、所定のサブ画素ＳＧに、所定の厚みを有する反射層５がサブ画素ＳＧの全面に形成されている。反射層５は、アルミニウム、アルミニウム合金、銀合金等の薄膜により形成することができる。
【００１９】
サブ画素ＳＧの間には、隣接するサブ画素ＳＧ間を隔て、一方のサブ画素から他方のサブ画素への光の混入を防止するため、黒色遮光層ＢＭが形成されている。この黒色遮光層ＢＭは、黒色の樹脂材料、例えば黒色の顔料を樹脂中に分散させたもの等を用いることが可能である。
【００２０】
また、サブ画素ＳＧ毎にＲ（赤）、Ｇ（緑）、Ｂ（青）３色のいずれかからなる領域６Ｒ、６Ｇ、６Ｂを有する着色層６が形成されている。着色層６の領域６Ｒ、６Ｇ及び６Ｂは、それぞれの色のカラーフィルタとして構成される。図中、１つのカラー画素Ｇは、Ｒ、Ｇ、Ｂのサブ画素ＳＧから構成されるカラー１画素分の領域を示している。なお、本明細書では、各色のサブ画素を単に「画素」、「透過表示画素」、「反射表示画素」と呼ぶことがある。これに対して、各色のサブ画素ＳＧから構成されるカラー画素は常に「カラー画素Ｇ」と記述することにより、両者を区別するものとする。
【００２１】
着色層６及び黒色遮光層ＢＭの上には、透明樹脂等からなる保護層１８が形成されている。この保護層１８は、各色間のカラーフィルタの段差を平滑化する機能を有すると共に、本実施形態に係るカラーフィルタ基板９１及び液晶表示装置１００の製造工程中に使用される薬剤等による腐食や汚染から、着色層６を保護する機能を有する。保護層１８の表面上には、ストライプ状のＩＴＯ（Indium-Tin Oxide）などの透明電極（走査電極）８が形成されている。この透明電極８の一端はシール部材３内に延在しており、そのシール部材３内の導通部材７と電気的に接続されている。
【００２２】
一方、上側基板１の内面上には、サブ画素毎に、ＴＦＤ素子２１及び画素電極１０が形成されている。この画素電極１０と透明電極８との間に電圧をかけ、液晶層４の液晶を配向制御することにより光の透過性を変化させて階調表示を行う。
【００２３】
ＴＦＤ素子２１及び画素電極１０の内面上には、透明樹脂等からなる保護層１７が形成されている。上側基板１及び保護層１７の内面上の左右周縁部には、走査線３１が形成されている。走査線３１の一端部はシール部材３内まで延在しており、その走査線３１は、シール部材３内の導通部材７と電気的に接続されている。
【００２４】
下側基板２の透明電極８の内面上、及び上側基板１の保護層１７の内面上には、それぞれ図示しない配向膜が形成されている。それらの配向膜の間には、液晶層４の厚さを均一に保持するために粒子状のスペーサ（図示略）がランダムに配置されている。
【００２５】
下側基板２の外面上には、位相差板１１及び偏光板１２が配置されており、上側基板１の外面上には、位相差板１３及び偏光板１４が配置されている。また、偏光板１２の下側には、光源および導光板等からなるバックライトユニット１５が配置されている。
【００２６】
下側基板２の透明電極８、即ち下側基板２の走査線と、上側基板１の走査線３１とは、シール部材３内に混入された導通部材７を介して上下導通している。
【００２７】
反射型表示がなされる場合、液晶表示装置１００に入射した外光は、図１に示す経路Ｒに沿って進行する。つまり、液晶表示装置１００に入射した外光は、反射層５によって反射され観察者に至る。この場合、その外光は、着色層６が形成されている領域を通過して、その着色層６の下側にある反射層５により反射され、再度着色層６を通過することによって所定の色相及び明るさを呈する。こうして、所望のカラー表示画像が観察者により視認される。
【００２８】
一方、透過型表示がなされる場合、バックライト１５から出射した照明光は、図２に示す経路Ｔに沿って進行し、着色層６等を通過して観察者に至る。この場合、その照明光は、着色層６を透過することにより所定の色相及び明るさを呈する。こうして、所望のカラー表示画像が観察者により視認される。
【００２９】
本発明が適用された液晶表示装置１００の特徴は、１つのサブ画素ＧＳ内に部分的に反射層を設けて透過型表示および反射型表示の両方を１つのサブ画素にて行うのではなく、１つのサブ画素を透過型表示を行う画素（「透過表示画素」とも呼ぶ。）または反射型表示を行う画素（「反射表示画素」とも呼ぶ。）のどちらか一方として構成する点にある。即ち、透過表示画素及び前記反射表示画素の各々は、相互に独立したサブ画素として構成される。図１の例では、Ｒ、Ｇのサブ画素ＳＧは、透過表示画素として構成され、透過型表示のみを行う。これに対し、Ｂのサブ画素ＳＧは、反射表示画素として構成され、反射型表示のみを行う。なお、この液晶表示装置１００は本発明を適用可能な各種の液晶表示装置の一例に過ぎない。即ち、本発明を適用する液晶表示装置の駆動方式、素子基板などは、図示のものに限定されず、各種の構成の液晶表示装置に本発明の適用が可能である。
【００３０】
（サブ画素のパターン）
図２は、本発明の第１実施形態に係る液晶表示装置１００のサブ画素の配置パターンの平面図である。斜線で示されたサブ画素ＳＧｒは、反射表示画素を示し、反射層５がサブ画素全面に設けられている。一方、斜線が付されていないサブ画素ＳＧｔは、透過表示画素を示し、反射層は設けられていない。なお、以下の説明もしくは図面において、色を問わずに構成要素を示す場合には、単に「反射層５」のように記し、色を区別して構成要素を示す場合には、例えば「反射層５Ｒ」のように記すこととする。
【００３１】
図２（ａ）は、ストライプ配列を基調としたサブ画素ＳＧのパターンの一例の平面図である。図２（ａ）では、１ピクセルの単位である１つのカラー画素Ｇは、Ｒ、Ｇ、Ｂのサブ画素ＳＧからなる。液晶表示装置１００では、駆動方式としてアクティブ・マトリクス方式のものを例として挙げているので、それぞれのサブ画素ＳＧの境界は、液晶の駆動回路を覆うために黒色遮光層ＢＭによって覆われている。なお、パッシブ・マトリックス方式の場合、サブ画素ＳＧの境界を黒色遮光層ＢＭで覆う必要はない。
【００３２】
図２（ａ）では、例えば、破線３３で囲まれた３つのカラー画素Ｇ、即ち９つのサブ画素ＳＧにつき、何れかのＲ、Ｇ、Ｂのサブ画素ＳＧを１つずつ、反射表示画素ＳＧｒとし、残りのサブ画素ＳＧを透過表示画素ＳＧｔとしている。よって、この場合、３つのカラー画素Ｇ（３ピクセル）につき、カラー画素（１ピクセル）１つ分が反射型表示を行い、カラー画素（２ピクセル）２つ分が透過型表示を行う構成となる。
【００３３】
このような液晶表示装置１００では、透過型表示を行うときには基本的に透過表示画素ＳＧｔのみが表示に寄与し、反射表示画素ＳＧｒは表示に寄与しない。一方、反射型表示を行うときには、基本的に反射表示画素ＳＧｒのみが表示に寄与し、透過表示画素ＳＧｔは表示に寄与しない。
【００３４】
図３は、一般的な液晶表示装置のサブ画素のパターンの平面図である。図３において、斜線でハッチングされた部分は、反射層５が設けられており、反射型表示を行う部分（以下、単に「反射表示部」と称す）４４である。一方、ハッチングされていない部分は、反射層５が設けられておらず、透過型表示を行う部分（以下、単に「透過表示部」と称す）４３である。このように、一般的な液晶表示装置では、１つのサブ画素ＳＧ内に透過表示部４３と反射表示部４４が設けられる。
【００３５】
このような液晶表示装置では、破線で囲まれた反射表示部４４と透過表示部４３の境界部４２は、反射型表示と透過型表示のいずれも適正に機能しなくなる領域、いわゆる死に領域となる。液晶表示装置が高精細になると、１つのカラー画素Ｇの大きさは小さくなり、それに伴いサブ画素ＳＧも小さくなる。しかしながら、死に領域となる境界部４２は、サブ画素ＳＧが小さくなっても、その大きさはほぼ変わらない。よって、液晶表示装置が高精細になればなるほど、死に領域となる境界部４２のサブ画素ＳＧに占める割合は大きくなり、反射型表示および透過型表示のどちらにおいても、明るい表示が困難となる。
【００３６】
また、１つのサブ画素に対して一定の厚さの１つのカラーフィルタ（着色層６）を配置した場合、反射型表示では光がカラーフィルタを２回通過するため表示色彩度は高くなるものの、透過型表示では光がカラーフィルタを１回しか通過しないので表示色彩度が大きく低下し、視認性を低下させる。
【００３７】
これに対し、第１実施形態の液晶表示装置では、図２（ａ）に示したように、１つのサブ画素は、透過表示画素ＳＧｔと反射表示画素ＳＧｒのいずれか一方として構成されている。即ち、反射表示画素ＳＧｒと透過表示画素ＳＧｔは相互に独立に形成される。よって、図３を参照して述べたような、反射型表示と透過型表示のいずれも適正に機能しなくなる領域である境界部４２は存在しないので、液晶表示装置が高精細になっても明るい表示が可能となる。さらに、透過型表示を行うサブ画素と反射型表示を行うサブ画素のそれぞれに１つずつ個別にカラーフィルタを配置することができるので、それぞれのサブ画素ごとに、カラーフィルタを構成する着色層６の厚さや着色層６に用いる顔料の濃度等を調節することができる。よって、透過型表示における表示色彩度の劣化を防ぐことができ、視認性の違いを容易に解消することができる。
【００３８】
具体的な例として、２００ｐｐｉを超える超高精細パネルにおいては、１画素を反射表示部、透過表示部に振り分けることにより、死に部分の割合が非常に大きくなる。しかし、本発明では、透過表示画素と反射表示画素をそれぞれ別々のサブ画素として独立に構成することにより、この問題を解決することができる。また、この超高精細パネルを、透過表示を重視する設計とした場合、例えば反射型表示に用いられるサブ画素を図２（ａ）に示したように１／３程度に画素間引きした反射型表示の場合でも、７０ｐｐｉ相当の画質となるので、反射型表示においても十分な視認性を確保できる。
【００３９】
図２（ｂ）は、デルタ配列を基調としたサブ画素のパターンの一例の平面図である。サブ画素ＳＧがデルタ配列であっても、図２（ａ）と同様に、破線３３で囲まれた３ピクセルのカラー画素Ｇにつき、カラー画素１ピクセル分を反射表示画素として構成し、カラー画素２ピクセル分を透過表示画素として構成することができ、図３（ａ）と同様の効果を得ることができる。
【００４０】
（サブ画素の明るさ補正）
次に、本発明の液晶表示装置における明るさ補正について述べる。上述したように、透過型表示を行うときには基本的に透過表示画素のみが表示に寄与し、反射型表示を行うときには基本的に反射表示画素のみが表示に寄与する。よって、透過型表示を行うときには反射表示画素の部分は暗くなり、反射型表示を行うときには透過表示画素の部分が暗くなる。そのため、それぞれの表示モードにおいて、暗くなるサブ画素の分、明るさを補う必要がある。本発明では、次に述べる２つの方法により、このような明るさ不足を補うこととする。
【００４１】
一つの方法は、透過表示画素と反射表示画素とで、画像を表示する際に使用する階調特性を変える方法である。具体的には、それぞれの表示モードで液晶を駆動制御する際の階調特性を異ならせて、それぞれの表示モードで、サブ画素の明るさの階調補正を行う。なお、階調特性を異ならせる方法の一例としては、例えば透過型表示モードと反射型表示モードにおいて、使用するガンマ（γ）特性を変える方法が挙げられる。
【００４２】
図４（ａ）は、第１実施形態に係るサブ画素のパターンの他の一例である。この例では、カラー画素４ピクセル分につき、カラー画素３ピクセルで透過型表示を行い、カラー画素１ピクセルで反射型表示を行う構成とする。この例における特徴的な点は、透過表示画素ＳＧｔの列５１と、反射表示画素ＳＧｒの列５２とを独立した列として配置していることである。一列に並べられたサブ画素は、共通の走査線を用いて駆動することができる。よって、この例では、透過表示画素と反射表示画素とで、液晶を駆動制御する際の階調特性を容易に異ならせることができる。
【００４３】
例えば、階調補正としてガンマ補正を行うとすると、図４（ａ）の例では、カラー画素３ピクセル分で透過型表示を行い、カラー画素１ピクセル分で反射型表示を行う。つまり、透過型表示と反射型表示とでは画素数が異なるので、それぞれの表示モードで異なったγ値を用いて補正をする。即ち、反射型表示の場合、反射型表示を行う１ピクセル分の３つの反射表示画素ＳＧｒは、暗くなっている３ピクセル分の９つの透過表示画素ＳＧｔによる明るさ不足を補うのに十分な明るさの階調値になるようにγ値を用いて階調を補正する。一方、透過型表示の場合、透過型表示を行う３ピクセル分の９つの透過表示画素ＳＧｔは、暗くなっている１ピクセル分の３つの反射表示画素ＳＧｒの明るさ不足を補うのに十分な明るさとなるようにγ値を用いて階調を補正する。このように、表示モードの違いにより、表示に用いられるサブ画素数が異なるので、それぞれの表示モードで、それぞれ異なる階調特性に基づいて階調補正を行う。透過表示画素と反射表示画素を独立した列として配置し、駆動制御における階調特性を異ならせることにより、表示モードが異なる場合の明るさ不足を補うことが可能となる。
【００４４】
明るさ不足を補う他の方法は、それぞれの表示モードにおいて使用されていないサブ画素による明るさの不足分を、そのサブ画素の周囲に配置された同色のサブ画素で補う方法である。
【００４５】
図４（ｂ）は、図２（ａ）のサブ画素のパターンの一例の平面図である。ブルー（Ｂ）のサブ画素を例に、上記の方法を説明する。
【００４６】
図４（ｂ）において、サブ画素ＳＧｈ、ＳＧ１、ＳＧ２は、何れもブルー（Ｂ）のサブ画素である。サブ画素ＳＧｈは、反射表示画素である。サブ画素ＳＧ１、ＳＧ２は、サブ画素ＳＧｈの周囲に配置されるサブ画素であり、透過表示画素である。透過型表示の場合、透過表示画素ＳＧ１、ＳＧ２が表示に寄与し、反射表示画素ＳＧｈは透過型表示のときには表示に寄与しないので暗くなる。
【００４７】
透過型表示の場合、反射表示画素ＳＧｈがもし透過表示画素であったと想定したときの明るさを、その周囲の透過表示画素ＳＧ１、ＳＧ２に分散して割り当てる。例えば、サブ画素ＳＧｈ、ＳＧ１、ＳＧ２のそれぞれの階調値が「４」だとすると、透過型表示の場合には、反射表示画素ＳＧｈは表示に寄与しないので、その反射表示画素ＳＧｈの部分は暗くなる。そこで、反射表示画素ＳＧｈの階調値「４」を、透過表示画素ＳＧ１、ＳＧ２に、それぞれ割り振り、透過表示画素ＳＧ１、ＳＧ２の階調値をその分増加させる。例えば、透過表示画素ＳＧ１、ＳＧ２の両方の階調値を「６」とする。言い換えれば、反射表示画素ＳＧｈの周囲に配置された透過表示画素ＳＧ１、ＳＧ２を、それら以外の画素、即ち、当該反射表示画素ＳＧｈの周囲に配置された透過表示画素以外の、通常の明るさを有する透過表示画素よりも明るくするように、階調制御を行う。これにより、透過型表示において、反射表示画素ＳＧｈが暗くなっていることによる明るさの不足分を補うことができる。
【００４８】
反射型表示の場合も同様に、透過表示画素が暗くなっていることによる明るさの不足分を、その透過表示画素の周囲に配置された、同色の反射表示画素をその分明るくするように階調値を上げることにより補うことができる。このように、それぞれの表示モードで用いられていないサブ画素による明るさの不足分を、そのサブ画素の周囲に配置され、かつ、その表示モードで用いられている同色のサブ画素の階調値を、それら周囲に配置されている以外のサブ画素よりも上げて明るくすることにより補うことができる。
【００４９】
[第２実施形態]
第１実施形態では、透過表示画素と反射表示画素が同じ大きさのサブ画素として構成されている。しかし、近年の液晶表示装置は、透過型表示が主となる透過重視のものが多く、このような装置においては、反射型表示は透過型表示ほどの表示品質は要求されないことが多い。第２実施形態では、このことを考慮し、透過表示画素と、反射表示画素の大きさを変え、反射型表示と透過型表示における精細度を異ならせる。
【００５０】
図５（ａ）は、本発明の第２実施形態に係るサブ画素のパターンの平面図である。斜線でハッチングされたサブ画素ＳＧｒは反射表示画素を示し、ハッチングされていないサブ画素ＳＧｔは透過表示画素を示している。図５（ａ）では、透過重視の液晶表示装置を想定しており、透過表示画素ＳＧｔに較べ、反射表示画素ＳＧｒの面積は小さく設定される。
【００５１】
図５（ａ）は、透過型表示を行う３ピクセル分のカラー画素において、ブルー（Ｂ）の透過表示画素ＳＧｔの面積を減らし、その減らした部分にＲ、Ｇ、Ｂの反射表示画素ＳＧｒを１つずつ配置している。このように、透過型表示を行うＢの透過表示画素ＳＧｔの面積を減らしたのは、人間の目にとってブルー（Ｂ）の視認感度はレッド（Ｒ）及びグリーン（Ｇ）と比較して低いので、ブルー（Ｂ）の透過表示画素の面積を小さくするのが、表示特性、特に色の再現性に与える影響が最も少ないと考えられるからである。
【００５２】
図５（ｂ）は、第２実施形態に係るサブ画素のパターンの他の一例の平面図である。この図５（ｂ）では、レッド（Ｒ）の透過表示画素ＳＧｔとグリーン（Ｇ）の透過表示画素ＳＧｔとが、行毎に入れ替わっている。このように、ブルー（Ｂ）以外の透過型表示に用いられるサブ画素の配列を問わないで、本発明を適用することができる。
【００５３】
上述したように、第２実施形態では、透過重視の液晶表示装置にあっても、透過表示画素と反射表示画素の精細度を異ならせることにより、透過型表示の場合における表示特性に殆ど影響を及ぼすことなく、反射型表示を行うためのサブ画素を配置することができる。さらに、第１実施形態のときと同様、透過表示画素と反射表示画素とは独立したサブ画素として構成されるので、死に領域をなくすことが可能となる。
【００５４】
なお、反射重視の液晶表示装置の場合には、図５の透過表示画素ＳＧｔと反射表示画素の配置を入れ替えることにより、上記の透過重視の液晶表示の場合と同様の効果を得ることができる。
【００５５】
[変形例]
上記２つの実施形態では、反射型表示を行うためのサブ画素として、ＲＧＢの光の三原色の画素を設定している。しかし、透過重視型の液晶表示装置の場合、反射型表示にはそれほど高い表示品質は要求されず、表示される内容が分かる程度で良い場合が多い。よって、そのような場合にまで反射型表示でＲＧＢ３色のカラー表示を行う必要性はなく、単色で十分な場合がある。
【００５６】
図６は、変形例に係るサブ画素のパターンの平面図である。ここで、図６（ａ）は、第１実施形態に係るサブ画素のパターンにおいて、反射型表示を行う反射表示画素ＳＧｒを透明（Ｗ：ホワイト）としている。図６（ｂ）は、第２実施形態に係るサブ画素のパターンにおいて、反射型表示を行う反射表示画素ＳＧｒを透明（Ｗ）としている。このＷのサブ画素は、図１において、着色層６の代わりに透明樹脂層を設ける、もしくは単に着色層を設けないことにより構成することができる。このように、透過重視の液晶表示装置の場合、反射表示画素を透明（Ｗ）にして着色層の構成を単純化しても、要求される程度の品質で反射型表示を行うことができる。もちろん、反射型表示の色としては透明（Ｗ）に限られないのは言うまでもない。
【００５７】
また、反射表示画素として、人間の視認感度の低いＢのサブ画素を配置せず、補色関係にあるＲおよびＧの２色のサブ画素を配置してコントラストの高い表示を行うことができる。さらには、他の補色関係にある色、例えば、図６の例に、外光を完全に遮光したときのサブ画素の色となる色を加えて、更にコントラストの高い表示を行うこととしてもよい。
【００５８】
[電子機器]
次に、本発明に係る液晶表示装置１００を適用可能な電子機器の具体例について図７を参照して説明する。
【００５９】
まず、本発明に係る液晶表示装置１００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００６０】
続いて、本発明に係る液晶表示装置１００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００６１】
なお、本発明に係る液晶表示装置１００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００６２】
【図１】第１実施形態に係る液晶表示装置の構成を示す断面図である。
【図２】第１実施形態に係るサブ画素のパターンの平面図である。
【図３】一般的な液晶表示装置におけるサブ画素のパターンの平面図である。
【図４】第１実施形態に係るサブ画素のパターンの平面図である。
【図５】第２実施形態に係るサブ画素のパターンの平面図である。
【図６】変形例に係るサブ画素のパターンの平面図である。
【図７】本発明の液晶表示装置を適用した電子機器の例。
【符号の説明】
【００６３】
６  着色層、  Ｇ  画素、  ＳＧ  サブ画素、  ＢＭ  黒色遮光層、  １００  液晶表示装置、  ２００  液晶表示パネル
【図１】
2006145719.tif 000003
【図２】
2006145719.tif 000004
【図３】
2006145719.tif 000005
【図４】
2006145719.tif 000006
【図５】
2006145719.tif 000007
【図６】
2006145719.tif 000008
【図７】
2006145719.tif 000009